【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
ワイヤレス通信のための移動局であって、
第１の時間期間内に少なくとも一部の時間にわたって前記移動局にアクセス可能となることを保証するようにアクセスポイントに要求する第１のメッセージを生成することと、ここにおいて、前記第１の時間期間は、前記アクセスポイントとのアソシエーションが要求される前に決定される、
前記アクセスポイントからの応答を処理することと、前記応答は、前記アクセスポイントが前記第１の時間期間内に少なくとも前記一部の時間にわたって前記移動局にアクセス可能となることを保証することを示す
を行うように構成された、メモリに記憶された命令を実行する処理システムと、
前記アクセスポイントへの送信のために前記第１のメッセージを出力することと、ここにおいて、前記第１のメッセージは、前記移動局と前記アクセスポイントとの間の前記アソシエーションの前に出力される、
前記応答を受信することと
を行うように構成されたインターフェースとを備えるワイヤレス通信のための移動局。
【請求項２】
前記要求することは、前記第１の装置の動作要件、ユーザ入力、製造業者の指定、または前記移動局のメモリに記憶されたデータのうちの少なくとも１つに基づく、請求項１に記載の移動局。
【請求項３】
前記処理システムは、前記移動局が最大時間の保証を要求しているかどうか、または、前記第１のメッセージが、前記アクセスポイントがアクセス可能である前記第１の時間期間を含んだフィールドを含むかどうかのうちの少なくとも１つをさらに示すために前記第１のメッセージを生成するようにさらに構成される、請求項１に記載の移動局。
【請求項４】
前記処理システムは、プローブ要求フレーム、プローブ応答フレーム、アソシエーション要求フレーム、アソシエーション応答フレーム、アクションフレーム、またはアクション確認応答フレームのうちの任意の１つに前記第１のメッセージを埋め込むように構成され、出力するための前記インターフェースは、送信のために前記フレームを出力するように構成される、請求項１に記載の移動局。
【請求項５】
前記アクセスポイントから応答を受信するためのインターフェースをさらに備え、前記応答は、前記第２の装置が、前記第１の時間期間内に少なくとも一部の時間にわたって前記第１の装置にアクセス可能となることを示す、請求項１に記載の移動局。
【請求項６】
前記アクセスポイントから応答を受信するためのインターフェースをさらに備え、前記応答は、前記アクセスポイントが、前記第１の時間期間内に少なくとも一部の時間にわたって前記移動局にアクセス可能となることを保証しないこと示し、また前記アクセスポイントが少なくとも一部の時間にわたって前記移動局にアクセス可能となる第２の時間期間を示す、請求項１に記載の移動局。
【請求項７】
前記処理システムは、前記アクセスポイントが、前記第２の時間期間内に前記少なくとも一部の時間にわたって前記移動局にアクセス可能となることを確認する第２のメッセージを生成するようにさらに構成され、出力するための前記インターフェースは、送信のために前記第２のメッセージを出力するように構成される、請求項６に記載の移動局。
【請求項８】
前記処理システムは、アソシエーション要求フレームまたはプローブ要求フレームに前記第２のメッセージを埋め込むように構成され、出力するための前記インターフェースは、送信のために前記アソシエーション要求またはプローブ要求フレームを出力するように構成される、請求項７に記載の移動局。
【請求項９】
ワイヤレス通信のためのアクセスポイントであって、
移動局から第１の時間期間を示す第１のメッセージを受信すること、ここにおいて、前記第１のメッセージは、前記移動局と前記アクセスポイントとの間のアソシエーションの前に受信される、を行うためのインターフェースと、
前記アクセスポイントが、前記第１の時間期間内に少なくとも一部の時間にわたって前記移動局にアクセス可能となることを保証するかどうかを決定することと、ここにおいて、前記第１の時間期間は、前記アクセスポイントとの前記アソシエーションが要求される前に前記移動局によって決定される、
前記決定に基づいて第２のメッセージを生成することと、前記第２のメッセージは、前記アクセスポイントが前記第１の時間期間内に前記少なくとも一部の時間にわたってアクセス可能となることを保証するかどうかを示す、
を行うように構成された、メモリに記憶された命令を実行する処理システムと、
送信のために前記第２のメッセージを出力するためのインターフェースとを備えるワイヤレス通信のためのアクセスポイント。
【請求項１０】
前記決定は、前記アクセスポイントの動作要件、ユーザ入力、製造業者の指定、他の第２の装置に対してなされた保証、または前記アクセスポイントのメモリに記憶されたデータのうちの少なくとも１つに基づく、請求項９に記載のアクセスポイント。
【請求項１１】
前記処理システムは、プローブ要求フレーム、プローブ応答フレーム、アソシエーション要求フレーム、アソシエーション応答フレーム、アクションフレーム、またはアクション確認応答フレームのうちの任意の１つに前記第２のメッセージを埋め込むようにさらに構成され、前記第２のメッセージを出力するための前記インターフェースは、送信のために前記フレームを出力するように構成される、請求項９に記載のアクセスポイント。
【請求項１２】
前記処理システムは、
前記アクセスポイントが少なくとも一部の時間にわたって前記移動局にアクセス可能となることを保証する第２の時間期間を決定することと、
前記アクセスポイントが前記第１の時間期間内に少なくとも一部の時間にわたってアクセス可能となることを保証せず、また前記アクセスポイントが前記第２の時間期間内に前記少なくとも一部の時間にわたってアクセス可能となることを保証することをさらに示すために、前記第２のメッセージを生成することとを行うようにさらに構成される、請求項９に記載のアクセスポイント。
【請求項１３】
前記第２の時間期間の前記決定は、前記アクセスポイントの動作要件、ユーザ入力、製造業者の指定、第２の装置に対してなされた保証、または前記アクセスポイントのメモリに記憶されたデータのうちの少なくとも１つに基づく、および／または、前記第２のメッセージは、前記第１の装置が前記第１のメッセージ内に示された最大時間の保証を受け付けるかまたは拒否するか否かをさらに示すために生成される、および／または、受信するための前記インターフェースは、前記移動局から、前記アクセスポイントが前記第２の時間期間内に前記少なくとも一部の時間にわたって前記移動局にアクセス可能となることを確認する第３のメッセージを受信するようにさらに構成される、請求項１２に記載のアクセスポイント。
【請求項１４】
移動局がワイヤレスネットワーク上でアクセスポイントとのアソシエーションを確立するための方法であって、
第１の時間期間内に少なくとも一部の時間にわたって前記移動局にアクセス可能となることを保証するように前記アクセスポイントに要求するための第１のメッセージを生成することと、ここにおいて、前記第１の時間期間は、前記アクセスポイントとのアソシエーションが要求される前に決定される、
前記アクセスポイントからの応答を処理することと、前記応答は、前記アクセスポイントが前記第１の時間期間内に前記少なくとも一部の時間にわたって前記移動局にアクセス可能となることを保証することを示す、
前記アクセスポイントへの送信のために前記第１のメッセージを出力することと、ここにおいて、前記第１のメッセージは、前記移動局と前記アクセスポイントとの間の前記アソシエーションの前に出力される、
前記応答を受信することとを備える方法。
【請求項１５】
アクセスポイントがワイヤレスネットワーク上で移動局とのアソシエーションを確立するための方法であって、
前記移動局から、第１の時間期間を示す第１のメッセージを受信することと、ここにおいて、前記第１のメッセージは、前記移動局と前記アクセスポイントとの間のアソシエーションの前に受信される、
前記アクセスポイントが、前記第１の時間期間内に少なくとも一部の時間にわたって前記移動局にアクセス可能となることを保証するかどうかを決定することと、ここにおいて、前記第１の時間期間は、前記アクセスポイントとの前記アソシエーションが要求される前に前記移動局によって決定される、
前記決定に基づいて第２のメッセージを生成することと、前記第２のメッセージは、前記アクセスポイントが前記第１の時間期間内に前記少なくとも一部の時間にわたってアクセス可能となることを保証するかどうかを示す、
前記移動局への送信のために前記第２のメッセージを出力することとを備える方法。